(57)【要約】【課  題】コンクリートの仕上材が３０ミリ前後から３０ミリ以上あるコンクリート住宅の比較的小さい床面積の仕上材を水を用いず、騒音、振動、粉塵を発生せず、手で持ち運びでき、構造が簡単で効率よく除去する装置と同装置の使用方法を提供することを目的とする。【解決手段】水平方向に動き、水平面に取付けることができる脚部を有し、後部に反力を受ける反力面を有する油圧シリンダーと、前記油圧シリンダー駆動部の先端に、Ｌ形状金物の水平面端部より立上る垂直面を取付け、前記水平面先端に刃部を付けた装置と同装置を用いての使用方法。【選択図】  図７
2005002756.tif 000002
【特許請求の範囲】
【請求項１】
水平方向に動き、水平面に取付けることができる脚部を有し、後部に反力を受ける反力面を有する油圧シリンダーと、前記油圧シリンダーの駆動部の先端に、Ｌ形状金物の水平端部より立上る垂直面を取付け、前記水平面先端に刃部を設けたことを特徴とするモルタル等の仕上材の除去装置。
【請求項２】
Ｌ形状金物を油圧シリンダーの駆動部の先端に取付ける垂直面には、垂直方向に長穴が設けられていることを特徴とする請求項１に記載のモルタル等の仕上材の除去装置。
【請求項３】
水平方向に動き、水平面に取付けることができる脚部を有し、後部に反力を受ける反力面を有する油圧シリンダーと、前記、油圧シリンダーの駆動部の先端に、Ｌ形状金物の水平面端部より立上る垂直面を取付け、前記水平面先端に刃部を設けた装置の前記Ｌ形状金物を入れるためにあらかじめ仕上材を除去し凹部を作り、次に前記Ｌ形状金物を前記仕上材を除去した凹部に入れ、前記油圧シリンダーの脚部を仕上材面に固定するか、あるいは仕上材面上の油圧シリンダーの後部の前記反力面と建物の壁面間に反力受台を挿入し、前記、刃部をコンクリートと仕上材の境界面に当るように前記Ｌ形状金物をセットした後、前記、刃部を油圧シリンダーにより押圧し、仕上げ材を剥し除去し、前記仕上材を除去した後に、前記装置を仕上材を除去した場所に入れ、前記油圧シリンダーの後部の反力面を仕上材壁面に当て、前記刃部をコンクリートと仕上材の境界面に当るように、前記Ｌ形状金物をセットした後、前記刃部を油圧シリンダーにより押圧し、仕上材を剥し除去し、前記仕上材を剥し除去した後、前記油圧シリンダーの後部の反力面と仕上材壁面の間に前記の仕上材を除去した長さの反力受台を挿入し、前記刃部をコンクリートと仕上材の境界面に当るように、前記Ｌ形状金物をセットした後、前記刃部を油圧シリンダーにより押圧し、仕上材を剥し除去した後、反力受台の長さを変えることにより、前記作業を繰り返すことにより仕上材を剥し除去する方法。
【請求項４】
水平方向に動き、水平面に取付けることができる脚部を有し、後部に反力を受ける反力面を有する油圧シリンダーと、前記油圧シリンダーの駆動部の先端に、Ｌ形状金物の水平面端部より立上る垂直面を取付け、前記水平面先端に刃部を設けた装置、前記装置を入れるため、あらかじめ仕上材を除去し凹部を作り、次に前記装置を前記仕上材を除去した凹部に入れ、前記油圧シリンダーの反力面を仕上材壁面に当て、前記刃部をコンクリートと仕上材の境界面に当るように、前記Ｌ形状金物をセットした後、前記刃部を油圧シリンダーにより押圧し、仕上材を剥し除去し、前記仕上材を剥し除去した後、前記油圧シリンダーの後部の反力面と仕上材壁面の間に前記の仕上材を除去した長さの反力受台を挿入し、前記刃部をコンクリートと仕上材の境界面に当るように、前記Ｌ形状金物をセットした後、前記刃部を油圧シリンダーにより押圧し、仕上材を剥し除去した後、反力受台の長さを変えることにより、前記作業を繰り返すことにより仕上材を除去する方法。
【発明の詳細な説明】
【０００１】
【発明の属する技術分野】
この発明は、コンクリート面上に施工されたモルタルあるいはシリンダーコンクリート層等の仕上材を除去する装置と同装置を用いて仕上材を除去する方法に関する。
【０００２】
【従来の技術】
コンクリートの表面は、コンクリートの中性化、耐候性、化粧等から、コンクリート性能の低下の防止あるいは意匠上から、被覆材として、モルタルや古くはシリンダーコンクリート等が仕上材として用いられている。しかし、モルタルやシリンダーコンクリート層は経時的には劣化したり、部分的に欠落したりして、性能が低下したり、意匠性を損なうことが多く、リニューアルのため傷んだ仕上材を除去し、新たに被覆を再形成する必要がある。
【０００３】
モルタル等の仕上材を除去する先行特許公報としては、出願順に見ると、特許２０９６５２２、特開平８−２８０２５、特開平１１−３２９５７、特許３２２９２５４等がある。特許２０９６５２２は超音波を利用した装置で、騒音や振動を発生しない利点はあるが、ツール先端は、被覆材との間に超音波による微振動が加わり、摩耗が速く、又、モルタル等の仕上材が２０ミリ以上になると、作業効率が悪いなどの問題があった。
【０００４】
特開平８−２８０２５は、前後に車輪の付いた移動可能なフレームにハツリ工具を設けたピストン枠を取付け、ピストンの打撃力で、床面をハツリ工具が打撃し、ハツリ作業を行う装置であるが、ピストンの打撃力によりハツリ工具が床面を叩くので、振動によりコンクリート躯体にクラックなどの損傷を誘発する事もあり、又、騒音、粉塵が発生するという公害の問題もあった。
【０００５】
特開平１１−３２９５７は流体噴射を用いる方法で、外壁面を対象とし、装置自体も図１〜３に示される通り大きく手で持ち運ぶには重すぎ、又、用いられる流体としての水がコンクリートのクラックから入り漏水する場合もあり、更に又、住宅公団や中規模マンション等の比較的狭い床面の仕上材を除去するには装置が大きく、前記した装置が重いこと、漏水等の問題があった。
【０００６】
特許３２２９２５４は、閉領域（２２）を形成し、閉領域内に複数の開口（３２）を形成し、次いで各開口内に膨張剤を充填し、膨張剤の体積膨張により、モルタル層にクラックを生じ、モルタル層を除去する方法なので、閉領域を形成すること、複数の開口を形成しなければならないので、作業の手間がかかり、又、膨張剤の取扱いに習熟している必要があり問題があった。
【０００７】
【発明が解決しようとする課題】
本発明は上記した従来技術における問題点を鑑み、なされたもので、本発明は、モルタル等の仕上材の厚さが３０ミリ前後あるいは更に厚い仕上げ材や、手で持ち運びでき、構造が簡単であり、住宅公団や中規模以下のマンション等の比較的狭い床面の仕上材を水を用いず、又、騒音、振動、粉塵を発生せず除去するための装置と装置の使用方法を提供することを目的とする。
【０００８】
【課題を解決するための手段】
解決手段の装置は、水平方向に動き、水平面に取付けることができる脚部を有し、後部に反力を受ける反力面を有する油圧シリンダーと、前記油圧シリンダーの駆動部の先端に、Ｌ形状金物の水平面端部より立上る垂直面を取付け、水平面先端に刃部を設けたことを特徴とする装置であり、又、Ｌ形状金物を油圧シリンダー駆動部の先端に取付ける垂直面には、垂直方向に長穴が設けられていることを特徴とする装置である。
解決手段の方法は前記した装置を用い、Ｌ形状金物を入れるためにあらかじめ仕上材を除去し凹部を作り、次にＬ形状金物を仕上材を除去した凹部に入れ、油圧シリンダーの脚部を仕上材面に固定するか、あるいは仕上材面上の油圧シリンダーの後部の反力面と建物の壁面間に反力受台を挿入し、刃部をコンクリートと仕上材の境界面に当るようにＬ形状金物をセットした後、刃部を油圧シリンダーにより押圧し、仕上げ材を剥し除去し、仕上材を剥し除去した後に、装置を仕上材を除去した場所に入れ、油圧シリンダーの後部の反力面を仕上材壁面に当て、刃部をコンクリートと仕上材の境界面に当るように、Ｌ形状金物をセットした後、刃部を油圧シリンダーにより押圧し、仕上材を剥し除去し、仕上材を剥し除去した後、油圧シリンダーの後部の反力面と仕上材壁面の間に仕上材を除去した長さの反力受台を挿入し、刃部をコンクリートと仕上材の境界面に当るように、Ｌ形状金物をセットした後、刃部を油圧シリンダーにより押圧し、仕上材を剥し除去した後、反力受台の長さを変えることにより、作業を繰り返すことにより仕上材を剥し除去する方法であることを特徴としている。又、装置を入れるため、あらかじめ仕上材を除去し、凹部を作り、次に装置を仕上材を除去した凹部に入れ、油圧シリンダーの後部の反力面を仕上材壁面に当て、刃部をコンクリートと仕上材の境界面に当るように、Ｌ形状金物をセットした後、刃部を油圧シリンダーにより押圧し、仕上材を剥し除去し、仕上材を除去した後、油圧シリンダーの後部の反力面と仕上材壁面の間に仕上材を除去した長さの反力受台を挿入し、刃部をコンクリートと仕上材の境界面に当るように、Ｌ形状金物をセットした後、刃部を油圧シリンダーにより押圧し、仕上材を剥し除去した後、反力受台の長さを変えることにより、作業を繰り返すことにより仕上材を剥し除去する方法であることを特徴とする。
【０００９】
【発明の実施の形態】
以下、本発明のモルタル等の仕上材を除去する装置と同装置を用いての仕上材の除去方法について説明する。
【００１０】
図１は本発明のモルタル等の仕上材を除去する装置１の正面図を示し、図２は図１の平面図を示している。図１、図２において、装置は油圧シリンダー２とＬ形状金物３より構成し、油圧シリンダー２に面よりなるＬ形状金物３をセットした状態を示している。油圧シリンダー２はシリンダチューブを前後のフランジで押え、該フランジをスタットボルトで固定し、中央にピストンロッドを有するタイプで、ピストンロッドの駆動する先端部には金具などの治具を取付けるためのおねじが設けられ、前記おねじにはナット５がねじ込まれている。一般に使用されている油圧シリンダーと異なるところは、ピストンロッドより受ける反力を独立して受けるところが２箇所あり、１箇所は油圧シリンダー２の下部にある脚部６−１、６−２で、もう１箇所は油圧シリンダー２の後部の反力面１３である。
【００１１】
図３は面よりなるＬ形状金物３を表わし、（Ａ）は正面図を表わし、（Ｂ）は（Ａ）の右側面を表わしている図である。図３においてＬ形状金物３は下側となる水平部３−２と水平部３−２の端部より立上る垂直面部３−１で面よりなるＬ形状をなし、水平面部３−２の先端部には刃部４が設けられ、垂直面部の中央部には垂直方向に長穴３−４を設け、Ｌ形状金物３を油圧シリンダー２に取付ける時、垂直方向の位置を調整できるようにしている。又、水平面部３−２と垂直面部３−１の間には補強とその他の役目をするリブ３−３が４５度の角度で溶接されている。リブ３−３は補強ともう１つの役目は、刃部４が仕上材を剥し除去した時に、仕上材を４５度の傾斜面で小さく破壊することである。刃部４の形状は側面から見ると傾斜の緩い直角三角形の形状であり、刃部４の下面は水平面部３−２に平行で、先端が刃先で、先端刃先より１５度前後の角度の傾斜面を有し、刃部４の水平面である下面と傾斜面との間の垂直面の長さ（高さ）は、Ｌ形状金物３の水平面部３−２の板厚より厚く、前記板厚の両側より突出した状態で溶接されている。又、刃部４の刃先の長さは、油圧シリンダー２の脚部６−１、６−２の取付け巾より大きくなっている。
【００１２】
次に本発明装置１を用いての仕上材を剥し除去方法について説明する。
図４、図５に於いて、先ず、仕上材を除去する対象場所にＬ形状金物３が入るように仕上材７の一部を除去し、仕上材７の一部を除去した凹部８を作る。凹部８を作る時はこの時のみ音を発生するが、手持ち式のダイヤモンドカッター、コアドリル、先端が平らなハツリ具等を用いる。凹部８の大きさは、刃部４の刃先の長手方向となる長さが一辺とする略正方形とする。次にＬ形状金物３を仕上材を除去した凹部８に入るようにして、油圧シリンダー２を仕上材面に置く。更に、刃部４の刃面全体がコンクリート面に接するように油圧シリンダー２のナット５を緩め、Ｌ形状金物３の垂直方向を調整して、再度ナット５を仮締めする。
【００１３】
次の作業は図４と図５のどちらかの場合があり、現場の状況に応じてどちらかを選ぶ。先ず図４の場合は、油圧シリンダー２を固定する脚部６−１、６−２をあと施工アンカー１２−１、１２−２で固定する。図５の場合は、油圧シリンダー２の後部の反力面１３と建物あるいは構造物の壁面を利用する場合で、油圧シリンダー２の後部の反力面１３と建物あるいは構造物の壁面１０の間に反力受台１１を入れる。反力台１１は比較的圧縮力に強いものであれば何でも良く、木材でも良い。壁面１０が弱い場合は、壁面１０の受ける反力を弱めるため、即ち面圧を下げるため、壁面側のみ巾のある木材等を反力台１１と壁面１０の間に挿入する。上記した図４あるいは図５の状態で、コンクリート９と仕上材７の境界目に刃部４が当るように向いていることを確認し、ナット５を本締めしてＬ形状金物３を油圧シリンダー２に固定する。
【００１４】
次に油圧シリンダー２に図示していない油圧シリンダー２の接続油口より、手動又は電動ポンプで油を圧入すると、Ｌ形状金物３は矢印←の方向へ動き、刃部４はコンクリートと仕上材の境界目に入り込み、仕上材７をコンクリート９より剥す。剥れた仕上材は刃部４の長さあるいは横の巾より大きく、刃部４の達していないところまで剥れている場合が多い。図６は、Ｌ形状金物３が動き、刃部４が仕上材を剥している状態を示している。
【００１５】
図５の場合は、油圧シリンダー２は、あと施工アンカーで固定はしていないが、刃部４がコンクリートと仕上材の間に食込むと、油圧シリンダー２の後部の反力面１３に反力が作用し、反力受台１１から壁面１０に反力が伝わり、装置は動かなくなる。
【００１６】
次に図４の場合は、油圧シリンダー２の脚部６−１、６−２を固定しているあと施工アンカー１２−１、１２−２をはずし、更に図４、図５の場合ともに本装置１を他の場所へ移動し、ナット５を緩め、刃部４が油圧シリンダー２の脚部６−１、６−２と同じ水平になるようにＬ形状金物３を調整する。
次は、図７に示すように、上記で仕上材を除去した凹部８１に本装置１を入れ、油圧シリンダー２の後部の反力面１３を仕上材壁面７−１に押し当て、本装置１を置く。
【００１７】
本装置１が入るように、はじめから仕上材を除去し、図７に示すような凹部８１を作り、上記した図４、図５の方法を省いても良い。
次に刃部４がコンクリートと仕上材の境界目に行くようになっていることを確認したら、上記したのと同じように油圧シリンダー２に油を圧入して、刃部４で仕上材７をコンクリートより剥し除去する。仕上材をコンクリートより剥し除去したら、図８に示すように本装置１を仕上材を除去した凹部８２に入れ、油圧シリンダー２の後部の反力面１３と仕上材壁面７−１の間に前記の仕上材を除去した長さの反力受台１１１を入れ、上記図７で説明した同じ作業を繰り返す。以後順次、反力受台を長いものあるいは追加して作業を繰り返し、仕上材を除去する。
【００１８】
モルタル等の仕上材が１０ミリ前後と薄い場合や脆い場合は、図５の如く壁面１０を利用し、反力受台を仕上材の上にのせ、順次、反力受台を長くして、作業を繰り返し進めても良い。
【００１９】
仕上材７を除去する上記した作業は、除去する室の中央部分から４方向に向け行うと反力受台（１１、１１１）の数、長さも少なくすみ、仕上材７が刃部４の巾より大きく剥すことができる場合が多いので，効率良く行える。
【００２０】
油圧シリンダー２は使用圧力により種々選択できるが、一例として使用圧力の最大２０〜３０ＭＰａ、シリンダチューブの外径６０ミリ、ストローク１３０ミリとするとシリンダー２の全体は略３００ミリ、高さ７０ミリの大きさとなり、推力は３００００Ｎ（３０６０Ｋｇｆ）となる。刃部４の刃面の長さはコンクリートと仕上材間の接着状況によるので、現場により異なるため、１００〜１５０ミリの間で数種類用意し使い分けると作業能率が上がる。
【００２１】
【発明の効果】
本発明は以下の効果がある。
▲１▼  油圧シリンダーとＬ形状金物の構成から成り、構造が簡単、単純なので軽く、装置の取扱いが簡単であり、持ち運びも容易である。本発明の装置の他に油圧シリンダーを動かすポンプを必要とするが、ポンプは手動でも良く、又、電動式でも圧力が中圧なので、手持式の小型ですむ。
▲２▼  作業の始めにＬ形状金物あるいは装置全体を入れるため仕上材を除去する必要があるが、この時は若干の音は発生するが、以後の作業では騒音となるような音の発生は無く、振動，粉塵の発生も無い。
▲３▼  仕上材が３０ミリとか５０ミリで厚い場合でも、刃部面をコンクリートと仕上材の境界目に油圧で押圧して仕上材を剥すので大きな力を必要とせず、又、削るのとちがい効率が良い。仕上材が１０ミリ前後と薄い場合は、本装置を仕上材の上に置き、壁面を利用し、反力受台を作業毎に順次長くしていけば効率よく作業ができる。
▲４▼  住宅公団、中規模マンション等の比較的床面の狭い場所でも、装置が小型で電源も手動ポンプなら不要であり、電動ポンプを使用しても１００Ｖですむので、使い易い。
▲５▼  水を使用しないので，コンクリートのクラック等から他所への水洩れが無い。
▲６▼  装置を順次移動しながら作業するので、大型機械とちがい、中断しても効率が落ちることが無い。
【図面の簡単な説明】
【図１】装置の正面図
【図２】装置の平面図
【図３】ＡはＬ形状金物の正面図
ＢはＬ形状金物の右側面図
【図４】装置を動かす前の装置設置例
【図５】装置を動かす前の装置設置例
【図６】仕上材を除去中の装置例
【図７】装置を動かす前の装置設置例
【図８】装置を動かす前の装置設置例
【符号の説明】
１                …装置全体
２                …油圧シリンダー
３                …Ｌ形状金物
３−１            …垂直面
３−２            …水平面
３−３            …リブ
３−４            …長穴
４                …刃部
５                …ナット
６−１、６−２    …脚部
７                …仕上材
７−１            …仕上壁面
８、８１、８２    …仕上材を除去した凹部
９                …コンクリート
１０                …壁面
１１                …反力受台
１２−１、１２−２  …あと施工アンカー
１３                …油圧シリンダー後部の反力面
【図１】
2005002756.tif 000003
【図２】
2005002756.tif 000004
【図３】
2005002756.tif 000005
【図４】
2005002756.tif 000006
【図５】
2005002756.tif 000007
【図６】
2005002756.tif 000008
【図７】
2005002756.tif 000009
【図８】
2005002756.tif 000010